(57)【要約】本発明は、包装容器に組立られる包装構成要素（被包装材料の内および外くるみ材、パッケージ内被覆材料と外被覆材料）に特徴付けを行うことに関する。これは、このような包装容器の偽造からの保護を目的としている。これは、個々の包装構成要素（８，１７，２３，３２，３３）が特徴標識（１２；１９；２６；３５；３７）を有していることにより、およびそれから現示される個別のパッケージコードを仕上げられたパッケージ（１４）に付すことにより達せられ、その際読取り装置（４４）は個々のコードと全体コードとを比較することにより全ての要素の正しい帰属を検査する。
2004500288.tif 000002
【特許請求の範囲】
【請求項１】
被包装物品を収容しかつ多数の包装構成要素から形成されている包装容器を造るための方法において、個々の包装構成要素に特にランダムな条件による性状特徴標識を、そして少なくとも一つの包装構成要素に個別的な性状特徴標識の暗号文字による組成体を形成する特徴標識を付すことを特徴とする方法。
【請求項２】
包装工程以前に付された性状特徴標識を有する包装構成要素を包装工程にもたらし、仕上げられた包装容器に暗号文字によって組立られた特徴標識を付すことを特徴とする請求項１に記載の方法。
【請求項３】
ランダムな条件による性状特徴標識を、連続して行われる包装工程にあって供給されてくる包装構成要素に、暗号文字によって組立られた特徴標識を、調製された包装容器の外方の包装構成要素もしくは外から読取ることのできる包装構成要素に、付すことを特徴とする請求項１に記載の方法。
【請求項４】
包装構成要素の特徴標識を連続して行われる包装工程にあって、特に包装容器の内くるみ材、載せられたカラーに、外くるみ材に、開封テープに並びに透明な外包装材料上に付すことを特徴とする請求項３に記載の方法。
【請求項５】
個々の包装構成要素を連続して行われる包装工程にあって相前後して被包装物品と一緒に案内することを特徴とする請求項３或いは４に記載の方法。
【請求項６】
暗号文字によって組立られた特徴標識に付加的に製造に関連する特徴標識を帰属させることを特徴とする請求項１から５までのいずれか一つに記載の方法。
【請求項７】
特徴標識の少なくとも一つ、特に暗号文字によって組立られた特徴標識を外から読取り可能であるようにすることを特徴とする請求項１から６までのいずれか一つに記載の方法。
【請求項８】
被包装物品を収容しかつ多数の包装構成要素から形成されている包装容器を造るための装置において、
包装工程において相前後していて、かつ包装構成要素（８，１７，２３，３２，３３）を供給する移送機構（７；１６；２２；３４）に、これらの包装構成要素のランダムな条件による或いは定まった特性に相当する特徴標識（１２；１９；２６；３５；３７）を付すための特徴付け手段（９；１８；２４；３６）が設けられていること、および
仕上げられた包装容器（１４）を移送する移送機構（３９）に、包装構成要素の暗号文字による組立て体を形成する特徴標識（４２）を付すための特徴付け手段（４１）が設けられていることを特徴とする装置。
【請求項９】
内くるみ材（８）のための移送機構（７）にレーザ（９）が、カラー（１７）を載置するための移送機構（１６）に印刷機構（１８）が、外くるみ材（２３）のための移送機構にレーザ（２４）が、セロハンシートのための移送機構（３４）と開封テープ（３３）に印刷機構（３６）が、調製されかつセロハンシートで包装された包装容器（１４）のための移送機構に性状特徴標識（１２；１９；２６；３５；３７）および暗号文字によって組立られた特徴標識（４２）を付すためのレーザ（４１）が設けられていることを特徴とする請求項８に記載の装置。
【発明の詳細な説明】
【０００１】
『被包装物品』とは、本発明おける意味においては、単個の或いは多数個の物品或いはさらさらした物品或いは散布可能な物品をも意味する。特に本発明は、たばこ加工産業におけるたばこの被包装物品に関するが、ここでは特に通常相前後して連続して行われる作業工程においてブロック状の形態で内側でくるまれた形で或いは載置された形での個々の包装構成要素を備えているか、或いは内被覆裁断片或いは外被覆裁断片の形の包装構成要素で包装されているシガレット並びにフイルタシガレットを意味する。このようにして、使用される材料の種類に応じていわゆるソフトパッケージ或いはハードパッケージ（ヒンジド−リド）の様式の包装容器が得られる。
【０００２】
本発明の根底をなす課題は、偽造防止の目的で個別の包装容器のオリジナリテイを認知可能にすることである。
【０００３】
この課題は本発明により、個々の包装構成要素に特にランダムな条件による性状特徴標識を、そして少なくとも一つの包装構成要素に個別的な性状特徴標識の暗号文字による組成を形成する特徴標識を付すことによって解決される。被包装物品を引き合いに出さずとも標識付けを包装構成要素上に限定することにより、納得のいく経費で効果的な偽造防止が保証される。この場合、特徴標識はランダムな数として可視の状態で或いは不可視の状態で明示説明文の形で或いはバーコードの形で付すことが可能である。この付与自体は、例えば印刷、光学的な（レーザによる）手法で、磁気的な手法で、電気的（導電体）な手法で或いは他の方法で行われる。
【０００４】
暗号文字によって組立られたパッケージコード、即ち比較コードに関して個々の包装構成要素の材料標識を読取り装置により読取ることができるようにするには、包装工程以前に付され施された性状特徴標識を有する包装構成要素を包装工程にもたらし、仕上げられた包装容器に暗号文字によって組立られた性状特徴標識を付す本発明による他の実施例によって可能になる。
【０００５】
本発明による選択的な構成は、ランダムな条件による性状特徴標識を、連続して行われる包装工程にあって、供給されてくる包装構成要素に、および暗号文字によって組立られた特徴標識を、調製された包装容器の外方の包装構成要素もしくは外から読取ることのできる包装構成要素に付すことにある。両方法にあっては、可能な限り多くの包装構成要素が関係付けられるように、専ら外部から認知可能な特徴標識、およびパッケージの内部に存在していてかつパッケージを開封して始めて読取ることが可能な特徴標識が付される。
【０００６】
特にシガレットパッケージの製造方法における使用にあって選択される方法は、包装構成要素の特徴標識を、連続して行われる包装工程にあって、特に包装容器の内くるみ材に、載せられたカラーに、外くるみ材に、開封テープに並びに透明な外包装材上に付すことにある。
【０００７】
上記の標識付け方法にあって、個々の包装構成要素を、連続して行われる包装工程にあって、相前後して被包装物と一緒に案内するのが有利である。
【０００８】
包装構成要素がただ一つの標識を有している場合に偽造防止を高めるため、更に暗号文字によって組立られた特徴標識に付加的に製造に関連する特徴標識を帰属させることが提案されている。このような特徴標識は、例えば製造データ、製造場所、個別の包装容器の処理者であってもよく、従って読取り装置により個々の包装構成要素に関する比較コード以外に通常のデータに関しての信頼性の分析も行うことが可能である。この場合、この読取り装置はパッケージコードをただ一度だけで確認すればよく、即ち同じコードの再度の読取りの際は、このコードは通用しないものと読取る。同じ特徴標識を備えている多くのパッケージを違法に造ることの可能性を阻止するために、読取り装置を規則正しい間隔で中央で互いに調節するのが有利である。
【０００９】
優れた認知方法は、特徴標識の少なくとも一つを、特に暗号文字によって組立られた特徴標識を外部から読取ることができるように構成することである。
【００１０】
特徴標識のオンラインでのもしくは包装工程の間での付与のための装置は、包装工程において相前後して包装構成要素を供給する移送機構に、この包装構成要素のランダムな条件による特徴標識、或いは定まった特性に相当する特徴標識を付すための特徴付け手段が設けられていること、および仕上げられた包装容器を移送する移送機構に、包装構成要素の特徴標識の暗号文字による組立体を形成する特徴標識を付すための特徴付け手段が設けられていることを特徴としている。このようにして、個々の特徴標識を任意に、この特徴標識が仕上げられた包装容器において可視状態であったり或いは不可視状態であったり、即ちパッケージを開封して始めて読取ることが可能であるように、配置するための多くの可能性が得られる。
【００１１】
本発明による他の提案により、それぞれの包装構成要素の材料特性に関して、特徴付け手段の選択は、内くるみ材のための移送機構にレーザが、カラーを載置するための移送機構に印刷機構が、外くるみ材のための移送機構にレーザが、開封テープのための移送機構に印刷機構が、調製されかつセロハンシートで包装された包装容器のための移送機構に性状特徴標識および暗号文字によって組立られた特徴標識を付すためのレーザが設けられている。
【００１２】
本発明により得られる利点は、個々の包装構成要素のそれから造られた個別の容器への本来の帰属との異となりが、包装容器の個々の構成要素特性に依存する特徴標識と暗号文字によって組立られた特徴標識の同定と比較により認知可能であり、従って内容物およびパッケージに関して、違法に製造された製品もしくは不正操作による製品であることの示唆が得られることである。
【００１３】
以下に添付した図面に図示した実施例につき本発明を詳細に説明する。
【００１４】
図１により、詳細には図示しなかった包装機２のブロック形成ステーション１において公知の方法により、マガジンピット３からシガレットが取出され、一定の数でそれぞれ包装に即応してブロック形態に組立られ、相前後したシガレットブロック４の形式で矢印６の方向で移送され、その際個々の包装構成要素と共に案内されることにより多数の包装機構および移送機構の使用の下で包装される。
【００１５】
第一の移送機構７により、シガレットブロック４の内くるみ材８に加工されている帯状銀箔が供給されて来る。この帯状銀箔にレーザの様式の標識付け手段９が所属しており、このレーザは図３に示すように包装機２の制御機構１１によって監視されている周期信号と位置信号とに依存して図４に示すように特徴標識１２を内くるみ材８に付す。この特徴標識１２は内くるみ材８がシガレットブロック４を中心にして折畳まれ、このシガレットブロックが被覆された後、更なる包装工程の進捗に伴って図４に示すように仕上げられたシガレットパッケージ１４の蓋フラップ１３の背側を下にして移送路６に沿って位置決めされる。
【００１６】
くるまれたシガレット４は、引続き回転デイスクとして形成されている移送機構１６に達する。この移送機構は、例えば公開されているヨーロッパ特許出願第０　８５６　４６７号に示されている装置に相応して形成されており、同様にこの公報に開示されている方法によりいわゆるカラー１７が供給される。この移送機構１６に所属していてかつ印刷機構として形成されている更なる標識付け手段１８はカラー１７に図３に示すように作業周期におよび位置に即応して、図４に示すように特徴標識１９を付す。
【００１７】
移送方向で続いている、同様に上記の公開公報に開示されている回転デイスク２１には、外くるみ材−裁断片２３を供給するためのベルトコンベヤとして形成されている移送機構２２が設けられている。この移送機構２２にはまた、レーザによって形成されている更なる標識付け手段２４が設けられており、この標識付け手段は、図４に示すように外くるみ材−裁断片２３に仕上げられたシガレットパッケージ１４の幅狭側に現示される特徴標識２６を付す。
【００１８】
外くるみ材−裁断片２３と共にハードパッケージに組立てられるシガレットパッケージは、乾燥区間として働くリニア移送機構２７と移行ドラム２８とを経て、堆積マガジン２９内に達する。この堆積マガジンは図２による次の作業工程のセロフアン包装機３１への作業中継部を形成している。
【００１９】
セロフアン包装機３１内で、（移送方向６で）主包装路に、帯状箔３２と開封テープ３３とが供給される。この場合、移送機構３４には、帯状箔３２と開封テープ３３の上に図４に示したように特徴標識３５と３７を付すための、印刷機構として形成されている標識付け手段３６設けられている。これらの特徴標識の付与もまたは、図３によるセロフアン包装機３１の、制御ユニット１１により監視される作業周期信号と位置決め信号に依存して行われる。
【００２０】
開封テープ３３を備えている帯状箔３２が折畳みレボルバー３８の使用の下に、ハードパッケージを中心にして周囲に折畳まれた後、組立てられたシガレットパッケージ１４はベルト状の移送機構３９上に達する。この移送機構には、図３により先に付与された特徴標識１２，１９，２６，３５，３７から現示されているか或いは暗号文字によって組立られた、個別のパッケージコードを形成する、図４に示した特徴標識４２を付与するための、レーザとして形成されている標識付け手段４１が設けられている。
【００２１】
パッケージコードを形成する特徴標識４２を備えている、個々の包装構成要素８，２３，３２，３３の特徴標識１２，１９，２６，３５，３７の正しい帰属を比較し検査する目的で、図５に示すデイスプレイ４３を備えている読取り装置４４が使用される。この読取り装置により外くるみ材−裁断片２３における、帯状箔３２における、開封テープ３３における、そしてセロフアン箔３２における特徴標識２６，３５，３７と４２を外部から、即ち閉じられたままの、もしくは壊されていない状態でのシガレットパッケージにおいて、そして蓋フラップ１３を開いた後は内くるみ材８の部分と、カラー１７において特徴標識１２，１９を読取ることが可能である。
【００２２】
特徴標識１２，２６および４２を付与するための特徴標識付け手段としては、従来の文字読取り装置、例えばドイツ連邦共和国在のＩＷＫ　Ｖｅｒｐａｃｋｕｎｇｓ　ＧｍｂＨ社の製造にかかわる文字読取り装置が使用される。
【００２３】
パッケージコードとしての特徴標識４２を付与するためには、例えばＤｏｍｉｎｏ　Ｌａｓｅｒ　Ｉｎｃ．社の製造にかかわるレーザが適しており、このレーザにより、セロフアン被覆の内側における裁断片材の外部からの材料の切り削ぎが読取ることが可能であり、これが防止される。
【００２４】
特徴標識を読取るための読取り装置はパッケージコード４２上でただ一度だけ許容する。即ち、一度検出したパッケージコードを繰返し使用された際は、このパッケージコードは無効であるとみなされる。更に、規則的な間隔で読取り装置相互を中央で調節することが可能である。このことは、同じ特徴を有する多数のパッケージを違法に製造することの可能性を排除するのに必要である。
【図面の簡単な説明】
【図１】供給され包装構成要素に帰属している特徴標識付け手段を備えている、シガレットのための移送区間および包装区間の第一の部分の図である。
【図２】シガレットを包装するための第二の部分区間の図である。
【図３】包装工程において組合された二つの包装機と箔包装機における特徴標識付け手段の作業経過の概略図である。
【図４】包装構成要素の色々な位置に付与された特徴標識を備えている、仕上げられたパッケージの図である。
【図５】包装構成要素における、およびそこから現示されるパッケージ全コードにおける特徴標識を比較読取りのために読取り装置を使用している状態の図である。
【国際公開パンフレット】
2004500288.tif 000003
2004500288.tif 000004
2004500288.tif 000005
2004500288.tif 000006
2004500288.tif 000007
2004500288.tif 000008
2004500288.tif 000009
2004500288.tif 000010
2004500288.tif 000011
2004500288.tif 000012
2004500288.tif 000013
2004500288.tif 000014
2004500288.tif 000015
2004500288.tif 000016
2004500288.tif 000017
2004500288.tif 000018
2004500288.tif 000019
【国際調査報告】
2004500288.tif 000020
2004500288.tif 000021
2004500288.tif 000022
2004500288.tif 000023